(57)【特許請求の範囲】
【請求項１】
被写体の画像を撮像する撮像手段と、
音声を入力する音声入力手段と、
前記音声入力手段により入力された音声データを、前記撮像手段により撮像された画像データと関連付けて記憶する記憶手段と、
前記音声入力手段により入力された音声により所定の動作を指令する制御と、前記音声入力手段により入力された音声データを前記画像データと関連付けて前記記憶手段に記憶する際に、前記音声入力手段により入力された音声による所定の動作の指令を受け付けずに、前記音声入力手段により入力された音声データを前記記憶手段に記憶する制御とを実行する制御手段と
を備えることを特徴とするデジタルカメラ。
【請求項２】
前記所定の動作は、前記撮像手段による画像を撮像する動作である
ことを特徴とする請求項１に記載のデジタルカメラ。
【請求項３】
前記音声入力手段により入力された音声が所定の音声であるか否かを判定する判定手段をさらに備え、
前記制御手段は、前記判定手段により所定の音声であると判定されたとき、前記所定の動作を指令する制御を実行する
ことを特徴とする請求項１に記載のデジタルカメラ。
【請求項４】
前記所定の音声は、ユーザの音声パターンと一致する音声である
ことを特徴とする請求項３に記載のデジタルカメラ。
【請求項５】
前記所定の音声は、対応する音声データが所定の基準値以上のレベルの音声である
ことを特徴とする請求項３に記載のデジタルカメラ。
【請求項６】
前記制御手段は、前記判定手段により所定の音声であると判定されたとき、直ちに前記所定の動作を指令する制御を実行する
ことを特徴とする請求項３に記載のデジタルカメラ。
【請求項７】
前記制御手段は、前記判定手段により所定の音声であると判定されてから、所定の時間だけ経過後、前記所定の動作を指令する制御を実行する
ことを特徴とする請求項３に記載のデジタルカメラ。
【請求項８】
前記撮像手段の動作に応じて、所定の光を発する発光手段
をさらに備えることを特徴とする請求項１乃至７のいずれかに記載のデジタルカメラ。
【請求項９】
前記発光手段は、前記撮像手段が画像の撮像を行っている間、前記光を発する
ことを特徴とする請求項８に記載のデジタルカメラ。
【請求項１０】
前記発光手段は、前記撮像手段による画像の撮像が終了してから、前記撮像手段による新たな画像の撮像が可能となるまでの間、前記発光手段を点滅させる
ことを特徴とする請求項８または９に記載のデジタルカメラ。
【請求項１１】
前記発光手段は、前記撮像手段が画像の撮像を終了した後、前記光を発する
ことを特徴とする請求項８に記載のデジタルカメラ。
【発明の詳細な説明】
【０００１】
【発明の属する技術分野】
本発明は、デジタルカメラに関し、例えば、被写体の画像をデジタルデータに変換して記録する電子カメラ等に用いて好適なデジタルカメラに関する。
【０００２】
【従来の技術】
近年、フィルムを使用したカメラに代わって、ＣＣＤ等を用いて被写体の画像を撮影し、それをデジタルのデータに変換して内蔵するメモリや、着脱可能なメモリカード等に記録する電子カメラが用いられるようになってきている。この電子カメラを用いて撮影した画像は、従来のカメラのように現像、焼き付けを経ることなく、即座に再生し、ＬＣＤ等の画面に表示することができる。
【０００３】
また、撮影した画像をデジタルのデータにして記録するため、パーソナルコンピュータとの相性もよく、その入力装置としても用いられるようになってきている。例えば、インターネットのホームページを作成する場合において、画像データを入力するためのツールとして用いられる場合がある。
【０００４】
【発明が解決しようとする課題】
しかしながら、従来の電子カメラは、フィルムを用いたカメラの場合と同様に、両手あるいは片手でそれを保持し、レンズを被写体に向けてシャッタを押すという基本的な操作方法においては変わりがなく、それを例えばビジネスツールとして用いる場合に必要とされる操作性や形状を満足していない課題があった。
【０００５】
本発明はこのような状況に鑑みてなされたものであり、ビジネスツールとして、より効率的に被写体の画像を撮影することができるようにするものである。
【０００６】
【課題を解決するための手段】
請求項１に記載のデジタルカメラは、被写体の画像を撮像する撮像手段と、音声を入力する音声入力手段と、音声入力手段により入力された音声データを、撮像手段により撮像された画像データと関連付けて記憶する記憶手段と、音声入力手段により入力された音声により所定の動作を指令する制御と、音声入力手段により入力された音声データを前記画像データと関連付けて記憶手段に記憶する際に、音声入力手段により入力された音声による所定の動作の指令を受け付けずに、音声入力手段により入力された音声データを記憶手段に記憶する制御とを実行する制御手段とを備えることを特徴とする。
【０００７】
所定の動作は、撮像手段による画像を撮像する動作であるようにすることができる。
【０００８】
音声入力手段により入力された音声が所定の音声であるか否かを判定する判定手段をさらに備え、制御手段は、判定手段により所定の音声であると判定されたとき、所定の動作を指令する制御を実行するようにすることができる。
【０００９】
所定の音声は、ユーザの音声パターンと一致する音声であるようにすることができる。
【００１１】
所定の音声は、対応する音声データが所定の基準値以上のレベルの音声であるようにすることができる。
【００１２】
制御手段は、判定手段により所定の音声であると判定されたとき、直ちに所定の動作を指令する制御を実行するようにすることができる。
【００１３】
制御手段は、判定手段により所定の音声であると判定されてから、所定の時間だけ経過後、所定の動作を指令する制御を実行するようにすることができる。
【００１４】
また、撮像手段の動作に応じて、所定の光を発する発光手段（例えば、図１のＬＥＤ５６）をさらに設けるようにすることができる。
【００１５】
また、発光手段は、撮像手段が画像の撮像を行っている間、光を発するようにすることができる。
【００１６】
また、発光手段は、撮像手段による画像の撮像が終了してから、撮像手段による新たな画像の撮像が可能となるまでの間、発光手段を点滅させるようにすることができる。
【００１７】
また、発光手段は、撮像手段が画像の撮像を終了した後、光を発するようにすることができる。
【００２２】
請求項１に記載のデジタルカメラにおいては、入力された音声により所定の動作を指令する制御が実行され、入力された音声データを画像データと関連付けて記憶する際に、音声入力手段により入力された音声による所定の動作の指令を受け付けずに、音声入力手段により入力された音声データを記憶手段に記憶する制御が実行される。
【００２８】
【発明の実施の形態】
以下、本発明の実施の形態を図面を参照して説明する。
【００２９】
図１および図２は、本発明を適用した電子カメラの一実施の形態の構成例を示す斜視図である。本実施の形態の電子カメラにおいては、被写体を撮影する場合において、被写体に向けられる面が面Ｘ１とされ、ユーザ側に向けられる面が面Ｘ２とされている。面Ｘ１の上端部には、被写体の撮影範囲の確認に用いられるファインダ２、被写体の光画像を取り込む撮影レンズ３、および被写体を照明する光を発光する発光部（ストロボ）４が設けられている。
【００３０】
さらに、面Ｘ１には、ストロボ４を発光させて撮影を行うときに、ストロボ４を発光させる前に発光させて赤目を軽減する赤目軽減ＬＥＤ１５、ＣＣＤ２０（図４）の動作を停止させているときに測光を行う測光素子１６、および、ＣＣＤ２０の動作を停止させているときに測色を行う測色素子１７が設けられている。
【００３１】
一方、面Ｘ１に対向する面Ｘ２の上端部（面Ｘ１のファインダ２、撮影レンズ３、発光部４が形成されている上端部に対応する位置）には、上記ファインダ２、およびこの電子カメラ１に記録されている音声を出力するスピーカ５が設けられている。また、面Ｘ２に形成されているＬＣＤ６および操作キー７は、ファインダ２、撮影レンズ３、発光部４およびスピーカ５よりも、鉛直下側に形成されている。ＬＣＤ６の表面上には、後述するペン型指示装置の接触操作により、指示された位置に対応する位置データを出力する、いわゆるタッチタブレット６Ａが配置されている。
【００３２】
このタッチタブレット６Ａは、ガラス、樹脂等の透明な材料によって構成されており、ユーザは、タッチタブレット６Ａの内側に形成されているＬＣＤ６に表示される画像を、タッチタブレット６Ａを介して観察することができる。
【００３３】
操作キー７は、ＬＣＤ６に記録データを再生表示する場合などに操作されるキーであり、ユーザによる操作（入力）を検知し、ＣＰＵ（central processing unit）３９（図６）に供給するようになされている。
【００３４】
操作キー７のうちのメニューキー７Ａは、ＬＣＤ６上にメニュー画面を表示する場合に操作されるキーである。実行キー７Ｂは、ユーザによって選択された記録情報を再生する場合に操作されるキーである。
【００３５】
キャンセルキー７Ｃは、記録情報の再生処理を中断する場合に操作されるキーである。デリートキー７Ｄは、記録した情報を削除する場合に操作されるキーである。スクロールキー７Ｅは、ＬＣＤ６に記録情報の一覧が表示されている場合において、画面を上下方向にスクロールさせるときに操作されるキーである。
【００３６】
面Ｘ２には、ＬＣＤ６を使用していないときに保護する、摺動自在なＬＣＤカバー１４が設けられている。ＬＣＤカバー１４は、鉛直上方向に移動させた場合、図３に示すように、ＬＣＤ６およびタッチタブレット６Ａを覆うようになされている。また、ＬＣＤカバー１４を鉛直下方向に移動した場合、ＬＣＤ６およびタッチタブレット６Ａが現れるとともに、ＬＣＤカバー１４の腕部１４Ａによって、面Ｙ２に配置された電源スイッチ１１（後述）がオン状態に切り換えられるようになされている。
【００３７】
この電子カメラ１の上面である面Ｚ１には、音声を集音するマイクロホン８、および図示せぬイヤホンが接続されるイヤホンジャック９が設けられている。また、面Ｚ１に対向する面を面Ｚ２とする。
【００３８】
左側面（面Ｙ１）には、被写体を撮像するときに操作されるレリーズスイッチ１０と、撮影時の連写モードを切り換えるときに操作される連写モード切り換えスイッチ１３が設けられている。このレリーズスイッチ１０および連写モード切り換えスイッチ１３は、面Ｘ１の上端部に設けられているファインダ２、撮影レンズ３および発光部４よりも鉛直下側に配置されている。
【００３９】
一方、面Ｙ１に対向する面Ｙ２（右側面）には、音声を録音するときに操作される録音スイッチ１２と、電源スイッチ１１が設けられている。この録音スイッチ１２および電源スイッチ１１は、上記レリーズスイッチ１０および連写モード切り換えスイッチ１３と同様に、面Ｘ１の上端部に設けられているファインダ２、撮影レンズ３および発光部４よりも鉛直下側に配置されている。また、録音スイッチ１２は、面Ｙ１のレリーズスイッチ１０とほぼ同じ高さに形成されており、左右どちらの手で持っても、違和感のないように構成されている。
【００４０】
なお、録音スイッチ１２とレリーズスイッチ１０の高さを、あえて異ならせることにより、一方のスイッチを押す場合に、この押圧力によるモーメントを打ち消すために反対側の側面を指で保持したとき、誤ってこの反対側の側面に設けられたスイッチが押されてしまわないようにしてもよい。
【００４１】
上記連写モード切り換えスイッチ１３は、ユーザがレリーズスイッチ１０を押して被写体を撮影するとき、被写体を１コマだけ撮影するのか、または、所定の複数コマ撮影するのかを設定する場合に用いられる。例えば、連写モード切り換えスイッチ１３の指針が「Ｓ」と印刷された位置に切り換えられている（すなわち、Ｓモードに切り換えられている）場合において、レリーズスイッチ１０が押されると、１コマだけ撮影が行われるようになされている。
【００４２】
また、連写モード切り換えスイッチ１３の指針が「Ｌ」と印刷された位置に切り換えられている（すなわち、Ｌモードに切り換えられている）場合において、レリーズスイッチ１０が押されると、レリーズスイッチ１０の押されている期間中、１秒間に８コマの撮影が行われるようになされている（すなわち、低速連写モードになる）。
【００４３】
さらに、連写モード切り換えスイッチ１３の指針が「Ｈ」と印刷された位置に切り換えられている（すなわち、Ｈモードに切り換えられている）場合において、レリーズスイッチ１０が押されると、レリーズスイッチ１０の押されている期間中、１秒間に３０コマの撮影が行われるようになされている（すなわち、高速連写モードになる）。
【００４４】
次に、電子カメラ１の内部の構成について説明する。図４は、図１および図２に示す電子カメラの内部の構成例を示す斜視図である。ＣＣＤ２０は、撮影レンズ３の後段（面Ｘ２側）に設けられており、撮影レンズ３を介して結像する被写体の光画像を電気信号に光電変換するようになされている。
【００４５】
ファインダ内表示素子２６は、ファインダ２の視野内に配置され、ファインダ２を介して被写体を視ているユーザに対して、各種機能の設定状態などを表示するようになされている。
【００４６】
ＬＣＤ６の鉛直下側には、円柱形状の４本のバッテリ（単３の乾電池）２１が縦に並べられており、このバッテリ２１に蓄積されている電力が各部に供給されるようになされている。さらに、ＬＣＤ６の鉛直下側には、バッテリ２１とともに、発光部４に光を発光させるための電荷を蓄積するコンデンサ２２が配置されている。
【００４７】
回路基板２３には、この電子カメラ１の各部を制御する、種々の制御回路が形成されている。また、回路基板２３と、ＬＣＤ６およびバッテリ２１の間には、挿抜可能なメモリカード２４が設けられており、この電子カメラ１に入力される各種の情報が、それぞれ、メモリカード２４の予め設定されている領域に記録されるようになされている。
【００４８】
さらに、電源スイッチ１１に隣接して配置されているＬＣＤスイッチ２５は、その突起部が押圧されている間のみオン状態となるスイッチであり、ＬＣＤカバー１４を鉛直下方向に移動させた場合、図５（ａ）に示すように、ＬＣＤカバー１４の腕部１４Ａによって、電源スイッチ１１とともにオン状態に切り換えられるようになされている。
【００４９】
なお、ＬＣＤカバー１４が鉛直上方向に位置する場合、電源スイッチ１１は、ＬＣＤスイッチ２５とは独立に、ユーザによって操作される。例えば、ＬＣＤカバー１４が閉じられ、電子カメラ１が使用されていない場合、図５（ｂ）に示すように、電源スイッチ１１およびＬＣＤスイッチ２５がオフ状態になっている。この状態において、ユーザが電源スイッチ１１を図５（ｃ）に示すように、オン状態に切り換えると、電源スイッチ１１はオン状態となるが、ＬＣＤスイッチ２５は、オフ状態のままである。一方、図５（ｂ）に示すように、電源スイッチ１１およびＬＣＤスイッチ２５がオフ状態になっているとき、ＬＣＤカバー１４が開かれると、図５（ａ）に示すように、電源スイッチ１１およびＬＣＤスイッチ２５がオン状態となる。そして、この後、ＬＣＤカバー１４を閉じると、ＬＣＤスイッチ２５だけが、図５（ｃ）に示すように、オフ状態となる。
【００５０】
なお、本実施の形態においては、メモリカード２４は挿抜可能とされているが、回路基板２３上にメモリを設け、そのメモリに各種情報を記録可能とするようにしてもよい。また、メモリ（メモリカード２４）に記録されている各種情報を、図示せぬインタフェースを介して外部のパーソナルコンピュータ等に出力することができるようにしてもよい。
【００５１】
次に、本実施の形態の電子カメラ１の内部の電気的構成例を、図６のブロック図を参照して説明する。複数の画素を備えているＣＣＤ２０は、各画素に結像した光画像を画像信号（電気信号）に光電変換するようになされている。デジタルシグナルプロセッサ（以下、ＤＳＰという）３３は、ＣＣＤ２０にＣＣＤ水平駆動パルスを供給するとともに、ＣＣＤ駆動回路３４を制御し、ＣＣＤ２０にＣＣＤ垂直駆動パルスを供給させるようになされている。
【００５２】
画像処理部３１は、ＣＰＵ３９に制御され、ＣＣＤ２０が光電変換した画像信号を所定のタイミングでサンプリングし、そのサンプリングした信号を、所定のレベルに増幅するようになされている。ＣＰＵ３９は、ＲＯＭ（read only memory）４３に記憶されている制御プログラムに従って、各部を制御するようになされている。アナログ／デジタル変換回路（以下、Ａ／Ｄ変換回路という）３２は、画像処理部３１でサンプリングした画像信号をデジタル化してＤＳＰ３３に供給するようになされている。
【００５３】
ＤＳＰ３３は、バッファメモリ３６およびメモリカード２４に接続されるデータバスを制御し、Ａ／Ｄ変換回路３２より供給された画像データをバッファメモリ３６に一旦記憶させた後、バッファメモリ３６に記憶した画像データを読み出し、その画像データを、メモリカード２４に記録するようになされている。
【００５４】
また、ＤＳＰ３３は、Ａ／Ｄ変換回路３２より供給された画像データをフレームメモリ３５に記憶させ、ＬＣＤ６に表示させるとともに、メモリカード２４から撮影画像データを読み出し、その撮影画像データを伸張した後、伸張後の画像データをフレームメモリ３５に記憶させ、ＬＣＤ６に表示させるようになされている。
【００５５】
さらに、ＤＳＰ３３は、電子カメラ１の起動時において、ＣＣＤ２０の露光レベルが適正な値になるまで、露光時間（露出値）を調節しながら、ＣＣＤ２０を繰り返し動作させるようになされている。このとき、ＤＳＰ３３が、最初に、測光回路５１を動作させ、測光素子１６により検出された受光レベルに対応して、ＣＣＤ２０の露光時間の初期値を算出するようにしてもよい。このようにすることにより、ＣＣＤ２０の露光時間の調節を短時間で行うことができる。
【００５６】
この他、ＤＳＰ３３は、メモリカード２４への記録、伸張後の画像データのバッファメモリ３６への記憶などにおけるデータ入出力のタイミング管理を行うようになされている。
【００５７】
バッファメモリ３６は、メモリカード２４に対するデータの入出力の速度と、ＣＰＵ３９やＤＳＰ３３などにおける処理速度の違いを緩和するために利用される。
【００５８】
マイクロホン８は、音声情報を入力し（音声を集音し）、その音声情報をＡ／ＤおよびＤ／Ａ変換回路４２に供給するようになされている。
【００５９】
Ａ／ＤおよびＤ／Ａ変換回路４２は、マイクロホン８により検出された音声に対応するアナログ信号をデジタル信号に変換した後、そのデジタル信号をＣＰＵ３９に供給するとともに、ＣＰＵ３９より供給された音声データをアナログ化し、アナログ化した音声信号をスピーカ５に出力するようになされている。
【００６０】
測光素子１６は、被写体およびその周囲の光量を測定し、その測定結果を測光回路５１に出力するようになされている。測光回路５１は、測光素子１６より供給された測光結果であるアナログ信号に対して所定の処理を施した後、デジタル信号に変換し、そのデジタル信号をＣＰＵ３９に出力するようになされている。
【００６１】
測色素子１７は、被写体およびその周囲の色温度を測定し、その測定結果を測色回路５２に出力するようになされている。測色回路５２は、測色素子１７より供給された測色結果であるアナログ信号に対して所定の処理を施した後、デジタル信号に変換し、そのデジタル信号をＣＰＵ３９に出力するようになされている。
【００６２】
タイマ４５は、時計回路を内蔵し、現在の時刻に対応するデータをＣＰＵ３９に出力するようになされている。
【００６３】
絞り駆動回路５３は、絞り５４の開口径を所定の値に設定するようになされている。絞り５４は、撮影レンズ３とＣＣＤ２０の間に配置され、撮影レンズ３からＣＣＤ２０に入射する光の開口を変更するようになされている。
【００６４】
ＣＰＵ３９は、ＬＣＤスイッチ２５からの信号に応じて、ＬＣＤカバー１４が開いているときにおいては、測光回路５１および測色回路５２の動作を停止させ、ＬＣＤカバー１４が閉じているときにおいては、測光回路５１および測色回路５２を動作させるとともに、レリーズスイッチ１０が半押し状態になるまで、ＣＣＤ２０の動作（例えば電子シャッタ動作）を停止させるようになされている。
【００６５】
ＣＰＵ３９は、ＣＣＤ２０の動作を停止させているとき、測光回路５１および測色回路５２を制御し、測光素子１６の測光結果を受け取るとともに、測色素子１７の測色結果を受け取るようになされている。
【００６６】
そして、ＣＰＵ３９は、所定のテーブルを参照して、測色回路５２より供給された色温度に対応するホワイトバランス調整値を算出し、そのホワイトバランス調整値を画像処理部３１に供給するようになされている。
【００６７】
即ち、ＬＣＤカバー１４が閉じているときにおいては、ＬＣＤ６が電子ビューファインダとして使用されないので、ＣＣＤ２０の動作を停止させるようにする。ＣＣＤ２０は多くの電力を消費するので、このようにＣＣＤ２０の動作を停止させることにより、バッテリ２１の電力を節約することができる。
【００６８】
また、ＣＰＵ３９は、ＬＣＤカバー１４が閉じているとき、レリーズスイッチ１０が操作されるまで（レリーズスイッチ１０が半押し状態になるまで）、画像処理部３１が各種処理を行わないように、画像処理部３１を制御するようになされている。
【００６９】
さらに、ＣＰＵ３９は、ＬＣＤカバー１４が閉じているとき、レリーズスイッチ１０が操作されるまで（レリーズスイッチ１０が半押し状態になるまで）、絞り駆動回路５３が絞り５４の開口径を変更などの動作を行わないように、絞り駆動回路５３を制御するようになされている。
【００７０】
また、ＣＰＵ３９は、ストロボ駆動回路３７を制御して、ストロボ４を適宜発光させるようになされている他、赤目軽減ＬＥＤ駆動回路３８を制御して、ストロボ４を発光させる前に、赤目軽減ＬＥＤ１５を適宜発光させるようになされている。また、ＬＥＤ駆動回路５５を制御して、ＬＥＤ５６を適宜、点灯および点滅させるようになされている。
【００７１】
なお、ＣＰＵ３９は、ＬＣＤカバー１４が開いているとき（即ち、電子ビューファインダが利用されているとき）においては、ストロボ４を発光させないようにすることができる。このようにすることにより、電子ビューファインダに表示されている画像の状態で、被写体を撮影することができる。
【００７２】
ＣＰＵ３９は、タイマ４５より供給される日時データに従って、撮影した日時の情報を画像データのヘッダ情報として、メモリカード２４の撮影画像記録領域に記録するようになされている。（すなわち、メモリカード２４の撮影画像記録領域に記録される撮影画像データには、撮影日時のデータが付随している）。
【００７３】
また、ＣＰＵ３９は、デジタル化された音声情報を圧縮した後、デジタル化および圧縮化された音声データを一旦、バッファメモリ３６に記憶させた後、メモリカード２４の所定の領域（音声記録領域）に記録するようになされている。また、このとき、メモリカード２４の音声記録領域には、録音日時のデータが音声データのヘッダ情報として記録されるようになされている。
【００７４】
ＣＰＵ３９は、レンズ駆動回路３０を制御し、撮影レンズ３を移動させることにより、オートフォーカス動作を行う他、絞り駆動回路５３を制御して、撮影レンズ３とＣＣＤ２０の間に配置されている絞り５４の開口径を変更させるようになされている。
【００７５】
さらに、ＣＰＵ３９は、ファインダ内表示回路４０を制御して、各種動作における設定などをファインダ内表示素子２６に表示させるようになされている。
【００７６】
ＣＰＵ３９は、インタフェース（Ｉ／Ｆ）４８を介して、所定の外部装置（図示せず）と所定のデータの授受を行うようになされている。
【００７７】
また、ＣＰＵ３９は、操作キー７からの信号を受け取り、適宜処理するようになされている。
【００７８】
ユーザの操作するペン（ペン型指示部材）４１によってタッチタブレット６Ａの所定の位置が押圧されると、ＣＰＵ３９は、タッチタブレット６Ａの押圧された位置のＸ−Ｙ座標を読み取り、その座標データ（後述するメモ情報）を、バッファメモリ３６に蓄積させるようになされている。また、ＣＰＵ３９は、バッファメモリ３６に蓄積したメモ情報を、メモ情報入力日時のヘッダ情報とともに、メモリカード２４のメモ情報記録領域に記録するようになされている。
【００７９】
次に、本実施の形態の電子カメラ１の各種動作について説明する。最初に、本装置のＬＣＤ６における電子ビューファインダ動作について説明する。
【００８０】
ユーザがレリーズスイッチ１０を半押し状態にすると、ＤＳＰ３３は、ＣＰＵ３９より供給される、ＬＣＤスイッチ２５の状態に対応する信号の値から、ＬＣＤカバー１４が開いているか否かを判断し、ＬＣＤカバー１４が閉じていると判断した場合、電子ビューファインダ動作を行わない。この場合、ＤＳＰ３３は、レリーズスイッチ１０が操作されるまで、処理を停止する。
【００８１】
なお、ＬＣＤカバー１４が閉じている場合、電子ビューファインダ動作を行わないので、ＣＰＵ３９は、ＣＣＤ２０、画像処理部３１、および、絞り駆動回路５３の動作を停止させる。そして、ＣＰＵ３９は、ＣＣＤ２０を停止させる代わりに、測光回路５１および測色回路５２を動作させ、それらの測定結果を、画像処理部３１に供給する。画像処理部３１は、それらの測定結果の値を、ホワイトバランス制御や輝度値の制御を行うときに利用する。
【００８２】
また、レリーズスイッチ１０が操作された場合、ＣＰＵ３９は、ＣＣＤ２０および絞り駆動回路５３の動作を行わせる。
【００８３】
一方、ＬＣＤカバー１４が開いている場合、ＣＣＤ２０は、所定の時間毎に、所定の露光時間で、電子シャッタ動作を行い、撮影レンズ３によって集光された被写体の光画像を光電変換し、その動作で得られた画像信号を画像処理部３１に出力する。
【００８４】
画像処理部３１は、ホワイトバランス制御および輝度値の制御を行い、その画像信号に対して所定の処理を施した後、画像信号をＡ／Ｄ変換回路３２に出力する。なお、ＣＣＤ２０が動作しているときは、画像処理部３１は、ＣＰＵ３９により、ＣＣＤ２０の出力を利用して算出された、ホワイトバランス制御および輝度値の制御に利用される調整値を利用する。
【００８５】
そして、Ａ／Ｄ変換回路３２は、その画像信号（アナログ信号）を、デジタル信号である画像データに変換し、その画像データをＤＳＰ３３に出力する。
【００８６】
ＤＳＰ３３は、その画像データをフレームメモリ３５に出力し、ＬＣＤ６にその画像データに対応する画像を表示させる。
【００８７】
このように、電子カメラ１においては、ＬＣＤカバー１４が開いている場合、所定の時間間隔で、ＣＣＤ２０が電子シャッタ動作し、その度に、ＣＣＤ２０から出力された信号を画像データに変換し、その画像データをフレームメモリ３５に出力して、ＬＣＤ６に被写体の画像を絶えず表示させることで、電子ビューファインダ動作を行う。
【００８８】
また、上述のように、ＬＣＤカバー１４が閉じている場合においては、電子ビューファインダ動作を行わず、ＣＣＤ２０、画像処理部３１、および、絞り駆動回路５３の動作を停止させ、消費電力を節約している。
【００８９】
次に、本装置による被写体の撮影について説明する。
【００９０】
第１に、面Ｙ１に設けられている連写モード切り換えスイッチ１３が、Ｓモード（１コマだけ撮影を行うモード）に切り換えられている場合について説明する。最初に、図１に示す電源スイッチ１１を「ＯＮ」と印刷されている側に切り換えて電子カメラ１に電源を投入する。ファインダ２で被写体を確認し、面Ｙ１に設けられているレリーズスイッチ１０を押すと、被写体の撮影処理が開始される。
【００９１】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００９２】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、画像処理部３１によってサンプリングされる。画像処理部３１によってサンプリングされた画像信号は、Ａ／Ｄ変換回路３２に供給され、そこでデジタル化されてＤＳＰ３３に出力される。
【００９３】
ＤＳＰ３３は、その画像データをバッファメモリ３６に一旦出力した後、バッファメモリ３６より、その画像データを読み出し、離散的コサイン変換、量子化およびハフマン符号化を組み合わせたＪＰＥＧ（Joint Photographic Experts Group）方式に従って圧縮し、メモリカード２４の撮影画像記録領域に記録させる。このとき、メモリカード２４の撮影画像記録領域には、撮影日時のデータが、撮影画像データのヘッダ情報として記録される。
【００９４】
なお、連写モード切り換えスイッチ１３がＳモードに切り換えられている場合においては、１コマの撮影だけが行われ、レリーズスイッチ１０が継続して押されても、それ以降の撮影は行われない。また、レリーズスイッチ１０が継続して押されると、ＬＣＤカバー１４が開いている場合、ＬＣＤ６に、撮影した画像が表示される。
【００９５】
第２に、連写モード切り換えスイッチ１３がＬモード（１秒間に８コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００９６】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００９７】
ファインダ２で観察される被写体の光画像は、撮影レンズ３によって集光され、複数の画素を備えるＣＣＤ２０に結像する。ＣＣＤ２０に結像した被写体の光画像は、各画素で画像信号に光電変換され、画像処理部３１によって１秒間に８回の割合でサンプリングされる。また、このとき、画像処理部３１は、ＣＣＤ２０の全画素の画像電気信号のうち４分の３の画素を間引く。
【００９８】
すなわち、画像処理部３１は、マトリクス状に配列されているＣＣＤ２０の画素を、図７に示すように、２×２画素（４つの画素）を１つとする領域に分割し、その１つの領域から、所定の位置に配置されている１画素の画像信号をサンプリングし、残りの３画素を間引く。
【００９９】
例えば、第１回目のサンプリング時（１コマ目）においては、各領域の左上の画素ａがサンプリングされ、その他の画素ｂ，ｃ，ｄが間引かれる。第２回目のサンプリング時（２コマ目）においては、各領域の右上の画素ｂがサンプリングされ、その他の画素ａ，ｃ，ｄが間引かれる。以下、第３回目、第４回目のサンプリング時においては、左下の画素ｃ、右下の画素ｄが、それぞれ、サンプリングされ、その他の画素が間引かれる。つまり、４コマ毎に各画素がサンプリングされる。
【０１００】
画像処理部３１によってサンプリングされた画像信号（ＣＣＤ２０の全画素中の４分の１の画素の画像信号）は、Ａ／Ｄ変換回路３２に供給され、そこでデジタル化されてＤＳＰ３３に出力される。
【０１０１】
ＤＳＰ３３は、デジタル化された画像信号をバッファメモリ３６に一旦出力した後、その画像信号を読み出し、ＪＰＥＧ方式に従って圧縮した後、デジタル化および圧縮処理された撮影画像データを、メモリカード２４の撮影画像記録領域に記録する。このとき、メモリカード２４の撮影画像記録領域には、撮影日時のデータが、撮影画像データのヘッダ情報として記録される。
【０１０２】
第３に、連写モード切り換えスイッチ１３がＨモード（１秒間に３０コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【０１０３】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【０１０４】
ファインダ２で観察される被写体の光画像が撮影レンズ３によって集光され、ＣＣＤ２０に結像する。複数の画素を備えるＣＣＤ２０に結像した被写体の光画像は、各画素で画像信号に光電変換され、画像処理部３１によって１秒間に３０回の割合でサンプリングされる。また、このとき、画像処理部３１は、ＣＣＤ２０の全画素の画像電気信号のうち９分の８の画素を間引く。
【０１０５】
すなわち、画像処理部３１は、マトリクス状に配列されているＣＣＤ２０の画素を、図８に示すように、３×３画素を１つとする領域に分割し、その１つの領域から、所定の位置に配置されている１画素の画像電気信号を、１秒間に３０回の割合でサンプリングし、残りの８画素を間引く。
【０１０６】
例えば、第１回目のサンプリング時（１コマ目）においては、各領域の左上の画素ａがサンプリングされ、その他の画素ｂ乃至ｉが間引かれる。第２回目のサンプリング時（２コマ目）においては、画素ａの右側に配置されている画素ｂがサンプリングされ、その他の画素ａ，ｃ乃至ｉが間引かれる。以下、第３回目以降のサンプリング時においては、画素ｃ、画素ｄ・・・が、それぞれ、サンプリングされ、その他の画素が間引かれる。つまり、９コマ毎に各画素がサンプリングされる。
【０１０７】
画像処理部３１によってサンプリングされた画像信号（ＣＣＤ２０の全画素中の９分の１の画素の画像信号）は、Ａ／Ｄ変換回路３２に供給され、そこでデジタル化されてＤＳＰ３３に出力される。
【０１０８】
ＤＳＰ３３は、デジタル化された画像信号をバッファメモリ３６に一旦出力した後、その画像信号を読み出し、ＪＰＥＧ方式に従って圧縮した後、デジタル化および圧縮処理された撮影画像データを、撮影日時のヘッダ情報を付随して、メモリカード２４の撮影画像記録領域に記録する。
【０１０９】
なお、必要に応じて、ストロボ４を動作させ、被写体に光を照射させることもできる。ただし、ＬＣＤカバー１４が開いているとき、即ち、ＬＣＤ６が電子ビューファインダ動作を行っているとき、ＣＰＵ３９は、ストロボ４を、発光させないように制御することができる。
【０１１０】
次に、タッチタブレット６Ａから２次元の情報（ペン入力情報）を入力する場合の動作について説明する。
【０１１１】
タッチタブレット６Ａがペン４１のペン先で押圧されると、接触した箇所のＸ−Ｙ座標が、ＣＰＵ３９に入力される。このＸ−Ｙ座標は、バッファメモリ３６に記憶される。また、フレームメモリ３５における上記Ｘ−Ｙ座標の各点に対応した箇所にデータを書き込み、ＬＣＤ６における上記Ｘ−Ｙ座標に、ペン４１の接触に対応したメモを表示させることができる。
【０１１２】
上述したように、タッチタブレット６Ａは、透明部材によって構成されているので、ユーザは、ＬＣＤ６上に表示される点（ペン４１のペン先で押圧された位置の点）を観察することができ、あたかもＬＣＤ６上に直接ペン入力をしたかのように感じることができる。また、ペン４１をタッチタブレット６Ａ上で移動させると、ＬＣＤ６上には、ペン４１の移動に伴う線が表示される。さらに、ペン４１をタッチタブレット６Ａ上で断続的に移動させると、ＬＣＤ６上には、ペン４１の移動に伴う破線が表示される。以上のようにして、ユーザは、タッチタブレット６Ａ（ＬＣＤ６）に所望の文字、図形等のメモ情報を入力する。
【０１１３】
また、ＬＣＤ６上に撮影画像が表示されている場合において、ペン４１によってメモ情報が入力されると、このメモ情報が、撮影画像情報とともに、フレームメモリ３５で合成され、ＬＣＤ６上に同時に表示される。
【０１１４】
なお、ユーザは、所定のパレット１００を操作することにより、ＬＣＤ６上に表示されるメモの色を、黒、白、赤、青等の色から選択することができる。
【０１１５】
ペン４１によるタッチタブレット６Ａへのメモ情報の入力後、操作キー７の実行キー７Ｂが押されると、バッファメモリ３６に蓄積されているメモ情報が、入力日時のヘッダ情報とともにメモリカード２４に供給され、メモリカード２４のメモ情報記録領域に記録される。
【０１１６】
なお、メモリカード２４に記録されるメモ情報は、圧縮処理の施された情報である。タッチタブレット６Ａに入力されたメモ情報は空間周波数成分の高い情報を多く含んでいるので、上記撮影画像の圧縮に用いられるＪＰＥＧ方式によって圧縮処理を行うと、圧縮効率が悪く情報量が小さくならず、圧縮および伸張に必要とされる時間が長くなってしまう。さらに、ＪＰＥＧ方式による圧縮は、非可逆圧縮であるので、情報量の少ないメモ情報の圧縮には適していない（伸張してＬＣＤ６上に表示した場合、情報の欠落に伴うギャザ、にじみが際だってしまうため）。
【０１１７】
そこで、本実施の形態においては、ファックス等において用いられるランレングス法によって、メモ情報を圧縮するようにしている。ランレングス法とは、メモ画面を水平方向に走査し、黒、白、赤、青等の各色の情報（点）の継続する長さ、および無情報（ペン入力のない部分）の継続する長さを符号化することにより、メモ情報を圧縮する方法である。
【０１１８】
このランレングス法を用いることにより、メモ情報を最小に圧縮することができ、また、圧縮されたメモ情報を伸張した場合においても、情報の欠落を抑制することが可能になる。なお、メモ情報は、その情報量が比較的少ない場合には、圧縮しないようにすることもできる。
【０１１９】
また、上述したように、ＬＣＤ６上に撮影画像が表示されている場合において、ペン入力を行うと、撮影画像データとペン入力のメモ情報がフレームメモリ３５で合成され、撮影画像とメモの合成画像がＬＣＤ６上に表示される。その一方で、メモリカード２４においては、撮影画像データは、撮影画像記録領域に記録され、メモ情報は、メモ情報記録領域に記録される。このように、２つの情報が、各々異なる領域に記録されるので、ユーザは、撮影画像とメモの合成画像から、いずれか一方の画像（例えばメモ）を削除することができ、さらに、各々の画像情報を個別の圧縮方法で圧縮することもできる。
【０１２０】
メモリカード２４の音声記録領域、撮影画像記録領域、またはメモ情報記録領域にデータを記録した場合、図９に示すように、ＬＣＤ６にその一覧表を表示させることができる。
【０１２１】
図９に示すＬＣＤ６の表示画面上においては、情報を記録した時点の年月日（記録年月日）（この場合、１９９６年１１月１日）が画面の上端部に表示され、その記録年月日に記録された情報の番号と記録時刻が画面の左側に表示されている。
【０１２２】
記録時刻の右側には、サムネイル画像が表示されている。このサムネイル画像は、メモリカード２４に記録された撮影画像データの各画像データのビットマップデータを間引いて（縮小して）作成されたものである。この表示のある情報は、撮影画像情報を含む情報である。つまり、「１０時１６分」、および「１０時２１分」に記録（入力）された情報には、撮影画像情報が含まれており、それ以外の時間に記録された情報には画像情報が含まれていない。
【０１２３】
また、メモアイコン「□」は、線画情報として所定のメモが記録されていることを表している。
【０１２４】
サムネイル画像の表示領域の右側には、音声アイコン（音符）が表示され、その右隣りには録音時間（単位は秒）が表示されている（音声情報が入力されていない場合には、これらは表示されない）。
【０１２５】
ユーザは、図９に示すように、ＬＣＤ６に表示された一覧表の中の所望の音声アイコンを、ペン４１のペン先で押圧して再生する情報を選択指定し、図２に示す実行キー７Ｂをペン４１のペン先で押圧することにより、選択した情報を再生する。
【０１２６】
例えば、図９に示す「１０時１６分」の表示されている音声アイコンがペン４１によって押圧されると、ＣＰＵ３９は、選択された録音日時（１０時１６分）に対応する音声データをメモリカード２４から読み出し、その音声データを伸張した後、Ａ／ＤおよびＤ／Ａ変換回路４２に供給する。Ａ／ＤおよびＤ／Ａ変換回路４２は、供給された音声データをアナログ化した後、スピーカ５を介して再生する。
【０１２７】
メモリカード２４に記録した撮影画像データを再生する場合、ユーザは、所望のサムネイル画像を、ペン４１のペン先で押圧することによりその情報を選択し、実行キー７Ｂを押して選択した情報を再生させる。
【０１２８】
即ち、ＣＰＵ３９は、選択されたサムネイル画像の撮影日時に対応する撮影画像データをメモリカード２４から読み出すように、ＤＳＰ３３に指示する。ＤＳＰ３３は、メモリカード２４より読み出した上記撮影画像データ（圧縮されている撮影画像データ）を伸張し、この撮影画像データをビットマップデータとしてフレームメモリ３５に蓄積させ、ＬＣＤ６に表示させる。
【０１２９】
Ｓモードで撮影された画像は、ＬＣＤ６上に、静止画像として表示される。この静止画像は、ＣＣＤ２０の全ての画素の画像信号を再生したものであることはいうまでもない。
【０１３０】
Ｌモードで撮影された画像は、ＬＣＤ６上において、１秒間に８コマの割合で連続して表示される。このとき、各コマに表示される画素数は、ＣＣＤ２０の全画素数の４分の１である。
【０１３１】
通常、人間の目は、静止画像の解像度の劣化に対しては敏感に反応するため、静止画像の画素を間引くことは、ユーザに画質の劣化として捉えられてしまう。しかしながら、撮影時の連写速度が上がり、Ｌモードにおいて１秒間に８コマ撮影され、この画像が１秒間に８コマの速さで再生された場合においては、各コマの画素数がＣＣＤ２０の画素数の４分の１になるが、人間の目は１秒間に８コマの画像を観察するので、１秒間に人間の目に入る情報量は、静止画像の場合に比べて２倍になる。
【０１３２】
すなわち、Ｓモードで撮影された画像の１コマの画素数を１とすると、Ｌモードで撮影された画像の１コマの画素数は１／４となる。Ｓモードで撮影された画像（静止画像）がＬＣＤ６に表示された場合、１秒間に人間の目に入る情報量は１（＝（画素数１）×（コマ数１））となる。一方、Ｌモードで撮影された画像がＬＣＤ６に表示された場合、１秒間に人間の目に入る情報量は２（＝（画素数１／４）×（コマ数８））となる（すなわち、人間の目には、静止画像の２倍の情報が入る）。従って、１コマ中の画素の数を４分の１にしても、再生時において、ユーザは、画質の劣化をさほど気にすることなく再生画像を観察することができる。
【０１３３】
さらに、本実施の形態においては、各コマ毎に異なる画素をサンプリングし、そのサンプリングした画素をＬＣＤ６に表示するようにしているので、人間の目に残像効果が起こり、１コマ当たり４分の３画素を間引いたとしても、ユーザは、画質の劣化をさほど気にすることなくＬＣＤ６に表示されるＬモードで撮影された画像を観察することができる。
【０１３４】
また、Ｈモードで撮影された画像は、ＬＣＤ６上において、１秒間に３０コマの割合で連続して表示される。このとき、各コマに表示される画素数は、ＣＣＤ２０の全画素数の９分の１であるが、Ｌモードの場合と同様の理由で、ユーザは、画質の劣化をさほど気にすることなくＬＣＤ６に表示されるＨモードで撮影された画像を観察することができる。
【０１３５】
本実施の形態においては、ＬモードおよびＨモードで被写体を撮像する場合、画像処理部３１が、再生時における画質の劣化が気にならない程度にＣＣＤ２０の画素を間引くようにしているので、ＤＳＰ３３の負荷を低減することができ、ＤＳＰ３３を、低速度、低電力で作動させることができる。また、このことにより、装置の低コスト化および低消費電力化が可能になる。
【０１３６】
ところで、本実施の形態においては、既述のように、被写体の光画像を撮影するだけでなく、メモ（線画）情報を記録することも可能である。本実施の形態においては、これらの情報を入力するモード（撮影モードおよびメモ入力モード）を具備しており、ユーザの操作に応じてこれらのモードが適宜選択され、情報の入力がスムーズに実行されるようになされている。
【０１３７】
図１０は、上記電子カメラ１を、例えばワイシャツのポケットに入れたときの状態を示している。このように、電子カメラ１は、ワイシャツのポケットに入るような形状とされ、さらに、そのとき、電子カメラ１の上端部に配置された撮影レンズ３、ファインダ２、および発光部４が、丁度、ポケットからはみ出すようになっている。これにより、ユーザは、電子カメラ１をワイシャツのポケットに入れたままで、所定の被写体の画像を撮影することができる。また、マイクロホン８が電子カメラ１の上部に上向きに配置されているので、音声を入力し、記録することができる。
【０１３８】
次に、図１０に示したように、ワイシャツ等のポケットに入れたままで使用することができる電子カメラ１の形状について説明する。
【０１３９】
図１１に示すように、電子カメラ１の最大辺の長さをＬ１、中間辺の長さをＬ２、最小辺の長さをＬ３とし、さらに電子カメラ１の撮影レンズ３の下端から、下端部の中間辺までの長さをＬ４とする。そして、図１２に示すように、ワイシャツのポケットの縦方向の長さをＬ１１、横方向の長さをＬ１２とする。
【０１４０】
まず、電子カメラ１がワイシャツのポケットに入るようにするためには、中間辺と最小辺とで構成される電子カメラ１の外周の長さ（（Ｌ２＋Ｌ３）×２）が、ワイシャツのポケットの横方向の長さの２倍の長さ（Ｌ１２×２）と同一か、またはそれより短くなるようにしなければならない。
【０１４１】
なお、図１１における電子カメラ１は立方体で描かれているが、実際には各稜線部の角がとれて大きな曲面が設けられている場合や、断面形状がわずかながら台形形状になっていることがある。このような場合の外周の長さとは、図１６に示すように、最長辺に直交する面における断面形状Ａを包囲する最短の長さ、即ち２点破線Ｌの長さを示す。
【０１４２】
図１２に示したワイシャツのポケットの横方向の長さを例えば９ｃｍ（センチメートル）とすると、電子カメラ１の中間辺と最小辺とで構成される外周の長さは、その２倍の１８（＝９×２）ｃｍ以下でなければならない。例えば、電子カメラ１の中間辺の長さを７ｃｍとし、最小辺の長さを２ｃｍとすると、その外周の長さは丁度１８ｃｍとなるので、電子カメラ１をワイシャツのポケットに入れることが可能となる。
【０１４３】
次に、ワイシャツのポケットに電子カメラ１を入れたとき、電子カメラ１の上端部に配置された撮影レンズ３、ファインダ２、および発光部４が、ポケットからはみ出すようにするためには、少なくとも、電子カメラ１の撮影レンズ３の下端から中間辺までの長さＬ４が、ワイシャツのポケットの縦方向の長さＬ１１と同一か、またはそれより長くなるようにしなければならない。
【０１４４】
図１２に示したワイシャツのポケットの縦方向の長さＬ１１を、例えば１１ｃｍとすると、電子カメラ１の撮影レンズ３の下端から中間辺までの長さＬ４を、少なくとも１１ｃｍ以上としなければならない。実際には、電子カメラ１をワイシャツのポケットに入れたとき、ワイシャツのポケットが膨らむので、電子カメラ１の撮影レンズ３の下端から中間辺まで長さＬ４を１１ｃｍより多少短くすることができる。従って、電子カメラ１の最大辺の長さは、おおよそ、撮影レンズ３の下端から中間辺までの長さＬ４に、撮影レンズ３の直径に対応する長さを加算した長さとすることができる。
【０１４５】
このようにして、電子カメラ１の最大辺、中間辺、および最小辺の長さを決定することにより、電子カメラ１をワイシャツのポケットに入れることが可能な形状とすることができ、電子カメラ１をワイシャツのポケットに入れた状態で、所定の被写体を撮影することが可能となる。また、このように、電子カメラ１は、最大辺の方向が垂直方向と一致し、中間辺の方向が水平方向と一致するような状態で使用されるため、ＣＣＤ２０（図４）を、その水平方向が、中間辺の方向と一致するように配置する。これにより、撮影された被写体の画像の上下方向と、撮影した被写体の上下方向とを一致させることができる。
【０１４６】
次に、電子カメラ１の上端部に配置される撮影レンズ３、ファインダ２、および発光部４の位置関係について説明する。図１に示したように、撮影レンズ３、ファインダ２、および発光部４は、電子カメラ１を正面（面Ｘ１の側）から観察したとき、この順で左から順に配置される。
【０１４７】
従って、撮影レンズ３は、電子カメラ１の面Ｘ１上において左端に配置され、ファインダ２は、ほぼ中央部に配置され、発光部４は右端に配置される。
【０１４８】
通常、ワイシャツのポケットは、向かって右側に設けられているので、電子カメラ１の撮影レンズ３を面Ｘ１上において左端に配置することにより、ポケットに電子カメラ１を入れたとき、図１０に示したように、撮影レンズ３がポケットの左側に位置するようにすることができる。従って、例えば、ワイシャツの上に背広等の被服を着用した場合においても、背広の衿によって撮影レンズ３が隠れるといったことをできるだけ抑制することができる。また、撮影レンズ３が背広の衿によって隠れた場合においても、少し衿を開くだけで撮影レンズ３を被写体に向けることができ、それを撮影することができる。
【０１４９】
また、電子カメラ１の中間辺の長さを、人間の両目の間隔に相当する、例えば８ｃｍ以下にすると、電子カメラ１のファインダ２と電子カメラ１の筐体１００の左右の端部までの長さは、それぞれ少なくとも８ｃｍ以下となるので、ファインダ２を覗いていない目も、被写体を観察することができる。このように、中間辺の長さを左目と右眼の間の長さ以下にした場合においては、ファインダ２は、電子カメラ１の面Ｘ１上のどこに配置されていても、ファインダ２を覗いていない目は、被写体を観察することができる。
【０１５０】
また、図１に示したように、ファインダ２を電子カメラ１の面Ｘ１上の、中間辺の方向にほぼ真ん中の位置に配置した場合においては、ファインダ２の中央と電子カメラ１の左右の端部までの長さはそれぞれ４ｃｍ以下となるので、電子カメラ１の最小辺方向の長さを考慮しても、ファインダ２を覗いていない目は十分な視野角度で被写体を観察することができる。
【０１５１】
これにより、ファインダ２を覗く目が、図１３（ａ）に示したように右目であるか、あるいは図１３（ｂ）に示したように左目であるかに拘らず、ファインダ２を覗かない他方の目には、被写体からの光が電子カメラ１の筐体１００によって遮断されることなく入射するので、ユーザは、左右の目で被写体を観察することが可能となる。
【０１５２】
また、ファインダ２の左右に撮影レンズ３と発光部４を配置したので、撮影レンズ３と発光部４の間の距離を最大限、離すことができ、赤目現象を抑制するとともに、発光部４が発光したときに発生する電磁波（ノイズ）による、撮影レンズ３の後部に設けられたＣＣＤ２０の撮像素子への悪影響を抑制することができる。
【０１５３】
さらに、ファインダ２と撮影レンズ３とを隣接して配置することにより、パララックス、即ち、ファインダ２で見える範囲（ファインダ視野）と撮影レンズ３を介してＣＣＤ２０に結像される画像の範囲（レンズ視野）との違いを減少させることが可能となる。
【０１５４】
図１４は、本発明を適用した電子カメラの他の実施の形態をワイシャツのポケットに入れた状態を示している。この実施の形態においては、電子カメラ１の撮影レンズ４３は、前面方向（被写体のある方向）に突出している。撮影レンズ４３は、このように突出した状態で固定しておくこともできるし、被写体を撮影する場合にだけ前面に突出させるようにすることも可能である。例えば、電源スイッチ１１が操作され、電源がオンされたとき、自動的に撮影レンズ４３が前面に突出するようにすることができる。
【０１５５】
このように、撮影レンズ４３を前面に突出させることにより、撮影中に、撮影レンズ３がワイシャツのポケットに隠れることを抑制することができる。また、例えば、ワイシャツの上に背広等を着用した場合において、背広の衿によって撮影レンズ３が隠れることを抑制することができる。
【０１５６】
図４を参照して上述したように、比較的重量のある乾電池（バッテリ）２１は、電子カメラ１の下部に配置される。上記電子カメラ１は、撮影レンズ３が配置された方を上側にした状態で使用するので、乾電池２１が配置された下半分の方が上半分より重くなるため、安定する。これにより、撮影時の手ブレ等を抑制することができる。
【０１５７】
また、図１乃至図４を参照して上述したように、レリーズスイッチ１０、電源スイッチ１１、録音スイッチ１２、および連写モード切り替えスイッチ１３を、電子カメラ１の側面に配置するようにしたので、電子カメラ１をワイシャツのポケットに入れた状態で撮影を行っている場合において、例えば人混みの中で他の人にぶつかるなどしてスイッチが誤操作されたために、電子カメラ１が誤動作するといったことを抑制することができる。
【０１５８】
また、図１５に示すように、図１および図２に示したレリーズスイッチ１０、電源スイッチ１１、録音スイッチ１２、連写モード切り替えスイッチ１３とそれぞれ同様の機能を有する、レリーズスイッチ１１０、電源スイッチ１１１、録音スイッチ１１２、連写モード切り替えスイッチ１１３が配置される電子カメラ１の下端からの位置を、ワイシャツのポケットの縦方向の長さＬ１１より長い位置にすることにより、ワイシャツのポケットに電子カメラ１が入ったままでも、これらの操作部材がポケットより露出し、使用勝手を向上させることができる。
【０１５９】
次に、音声でカメラを動作させる場合の各部の動作について説明する。図１７は、音声によってレリーズ動作を制御する場合の動作手順の例を示すフローチャートである。例えば、ユーザが、所定の音声をマイクロホン８に向けて発すると、マイクロホン８によってその音声が入力され、電気信号に変換された後、Ａ／ＤおよびＤ／Ａ変換回路４２によってデジタルの音声データに変換され、ＣＰＵ３９に供給される。このとき、ユーザは、音声を発する代わりにマイクロホン８に息を吹きかけるようにしてもよい。
【０１６０】
ステップＳ１においては、ＣＰＵ３９によって、マイクロホン８より入力された音声に対応するデジタルの音声データがＡ／ＤおよびＤ／Ａ変換回路４２よりＣＰＵ３９に供給されたか否かが判定される。音声データが供給されていないと判定された場合、ステップＳ１の処理を繰り返す。一方、音声データが入力されたと判定された場合、ステップＳ２に進み、供給された音声データの中に、所定の基準値以上のレベルの音声データがあるか否かが判定される。
【０１６１】
所定の基準値以上の音声データがないと判定された場合、ステップＳ１に戻り、ステップＳ１以降の処理が繰り返し実行される。一方、所定の基準値以上の音声データがあると判定された場合、ステップＳ３に進み、レリーズ動作が行われ、画像の撮影が行われる。すなわち、ＣＰＵ３９は、画像処理部３１を制御し、ＣＣＤ２０が光電変換した画像信号を所定のタイミングでサンプリングする。
【０１６２】
その後、ステップＳ１に戻り、ステップＳ１以降の処理が繰り返し実行される。このようにして、ユーザは、所定の音声をマイクロホン８に向けて発するだけで、電子カメラ１のレリーズ動作を制御することができる。
【０１６３】
また、ユーザが発した音声データをメモリカード２４等に予め記憶させておき、マイクロホン８により入力され、Ａ／ＤおよびＤ／Ａ変換回路４２において変換されたデジタルの音声データと、予めメモリカード２４に記憶させておいたユーザの発した音声データとを比較し、両者の音声パターンが一致するか否かを判定し、両者が一致すると判定された場合、レリーズ動作を行うようにすることができる。
【０１６４】
図１８は、上述したように、入力された音声の音声パターンが、所定の音声パターンと一致するときだけ、レリーズ動作を行わせるようにした場合の動作手順を示すフローチャートである。最初、ステップＳ１１において、ＣＰＵ３９によって、マイクロホン８より入力された音声データがＡ／ＤおよびＤ／Ａ変換回路４２よりＣＰＵ３９に供給されたか否かが判定される。音声データが供給されていないと判定された場合、ステップＳ１１の処理を繰り返す。一方、音声データが入力されたと判定された場合、ステップＳ１２に進み、供給された音声データの音声パターンが、ユーザの音声パターンと一致するか否かが判定される。
【０１６５】
すなわち、ＣＰＵ３９は、メモリカード２４等に予め記憶させておいたユーザの音声に対応する音声データをメモリカード２４から読み出し、マイクロホン８より入力され、Ａ／ＤおよびＤ／Ａ変換回路４２より供給された音声データの音声パターンと比較する。その結果、両者が一致しないと判定された場合、ステップＳ１１に戻り、ステップＳ１１以降の処理が繰り返し実行される。一方、両者が一致すると判定された場合、ステップＳ１３に進み、レリーズ動作が行われ、画像の撮影が行われる。すなわち、ＣＰＵ３９は、画像処理部３１を制御し、ＣＣＤ２０が光電変換した画像信号を所定のタイミングでサンプリングする。
【０１６６】
その後、ステップＳ１１に戻り、ステップＳ１１以降の処理が繰り返し実行される。このようにして、ユーザは、所定の音声をマイクロホン８に向けて発するだけで、電子カメラ１のレリーズ動作を制御することができる。この場合、ユーザ本人が所定の音声を発したときだけレリーズ動作が行われるので、周囲の騒音や他人の音声等によって誤ってレリーズ動作が行われるといった誤動作を抑制することができる。
【０１６７】
図１９は、音声によってレリーズ動作を制御する場合のさらに他の動作手順を示すフローチャートである。最初に、ステップＳ２１において、ＣＰＵ３９によって、マイクロホン８より入力された音声に対応するデジタルの音声データがＡ／ＤおよびＤ／Ａ変換回路４２よりＣＰＵ３９に供給されたか否かが判定される。音声データが供給されていないと判定された場合、ステップＳ２１の処理を繰り返す。一方、音声データが入力されたと判定された場合、ステップＳ２２に進み、供給された音声データの中に、所定の基準値以上のレベルの音声データがあるか否かが判定される。
【０１６８】
所定の基準値以上のレベルの音声データがないと判定された場合、ステップＳ２１に戻り、ステップＳ２１以降の処理が繰り返し実行される。一方、所定の基準値以上のレベルの音声データがあると判定された場合、ステップＳ２３に進む。ステップＳ２３においては、変数ＴＩＭＥに所定の時間に対応する数値Ｘがセットされ、ステップＳ２４において、ＴＩＭＥにセットされた値が１ずつデクリメントされる。そして、ステップＳ２５においてＴＩＭＥにセットされた値が０以下になったか否かが判定される。ＴＩＭＥにセットされている値が０以下になっていないと判定された場合、ステップＳ２４に戻り、ステップＳ２４以降の処理が繰り返し実行される。
【０１６９】
一方、ＴＩＭＥにセットされた値が０以下になったと判定された場合、ステップＳ２６に進み、ＣＰＵ３９の制御によりレリーズ動作が実行され、画像の撮像が行われる。すなわち、ＣＰＵ３９は、画像処理部３１を制御し、ＣＣＤ２０が光電変換した画像信号を所定のタイミングでサンプリングする。
【０１７０】
その後、ステップＳ２１に戻り、ステップＳ２１以降の処理が繰り返し実行される。このようにして、ユーザは、所定の音声をマイクロホン８に向けて発した後、所定の時間だけ間をおいて、電子カメラ１のレリーズ動作が行われるようにすることができる。また、ステップＳ２２における処理を、図１８のステップＳ１２における処理で置き換えるようにすることもできる。
【０１７１】
上記実施の形態においては、マイクロホン８が電子カメラ１の筐体１００の上部に上向きで配置されているため、例えば、電子カメラ１を胸のポケットに入れた場合、マイクロホン８は上向きになる。このように、電子カメラ１を胸のポケットに入れた状態で、ユーザが下を向くと、丁度ユーザの口の近くにマイクロホン８が位置し、かつマイクロホン８がユーザの口に向いた状態となる。従って、ユーザは容易に、マイクロホン８に向けて音声を発したり、息を吹きかけたりすることによってレリーズ動作を制御することができる。
【０１７２】
また、図１０に示したように、電子カメラ１をポケットに入れた場合でも、電子カメラ１の撮影レンズ３がポケットからはみ出すように、電子カメラ１の形状、および撮影レンズ３の配置場所が決定されている。このため、ユーザは、電子カメラ１を胸のポケットに入れたまま、しかも、手を使うことなく、音声を発するだけで、あるいはマイクロホン８に向けて息を吹きかけるだけで、レリーズ動作を制御することができ、所定の画像を撮影することができる。
以上のように、ワイシャツ等のポケットに入れた場合でも、音声入力手段がポケットから露出する。従って、明瞭な音声を入力し、それを録音することができ、ワイシャツ等のポケットに入れたままで、音声の指示により被写体を撮影することができる。
【０１７３】
次に、図２０乃至図２２のタイミングチャートを参照して、ＬＥＤ５６を発光させる方法について説明する。各図において、縦軸はＬＥＤ５６のオン／オフを表し、横軸は時刻を表している。図２０は音声が入力されてからレリーズ動作が行われるまでの間、ＬＥＤ５６を発光させるようにした例を示している。すなわち、ユーザによってマイクロホン８より入力された音声は、Ａ／ＤおよびＤ／Ａ変換回路４２においてデジタルの音声データに変換され、ＣＰＵ３９に供給される。ＣＰＵ３９は、Ａ／ＤおよびＤ／Ａ変換回路４２より音声データの供給を受けると、ＬＥＤ駆動回路５５を制御し、ＬＥＤ５６を点灯させる。
【０１７４】
次に、ＣＰＵ３９は、画像処理部３１を制御し、ＣＣＤ２０が光電変換した画像信号を所定のタイミングでサンプリングする。すなわち、レリーズ動作を行わせる。レリーズ動作が終了すると、ＣＰＵ３９は、ＬＥＤ駆動回路５５を制御し、ＬＥＤ５６を消灯する。
【０１７５】
このように、音声が入力されてからレリーズ動作が終了するまでの間、ＬＥＤ５６を点灯させることにより、ユーザは、レリーズ動作が実行されていることを視覚によって確認することができる。
【０１７６】
図２１は、レリーズ動作が行われた後、ＬＥＤ５６を発光させるようにした例を示している。すなわち、ユーザによってマイクロホン８より入力された音声は、Ａ／ＤおよびＤ／Ａ変換回路４２においてデジタルの音声データに変換され、ＣＰＵ３９に供給される。そして、ＣＰＵ３９は、Ａ／ＤおよびＤ／Ａ変換回路４２より音声データの供給を受けると、ＬＥＤ駆動回路５５を制御し、ＬＥＤ５６を消灯させる。
【０１７７】
次に、ＣＰＵ３９は、画像処理部３１を制御し、ＣＣＤ２０が光電変換した画像信号を所定のタイミングでサンプリングする。すなわち、レリーズ動作を行わせる。レリーズ動作が終了すると、ＣＰＵ３９は、ＬＥＤ駆動回路５５を制御し、ＬＥＤ５６を点灯させる。
【０１７８】
このように、音声が入力されてからレリーズ動作が終了するまでの間、ＬＥＤ５６を消灯させることにより、ユーザは、レリーズ動作が実行されていることを視覚によって確認することができる。
【０１７９】
図２２は、音声が入力されてからレリーズ動作が行われるまでの間、ＬＥＤ５６を点灯させ、その後、圧縮等の画像処理が終了するまでの間、ＬＥＤ５６を点滅させるようにした例を示している。すなわち、ユーザによってマイクロホン８より入力された音声は、Ａ／ＤおよびＤ／Ａ変換回路４２においてデジタルの音声データに変換され、ＣＰＵ３９に供給される。ＣＰＵ３９は、Ａ／ＤおよびＤ／Ａ変換回路４２より音声データの供給を受けると、ＬＥＤ駆動回路５５を制御し、ＬＥＤ５６を点灯させる。
【０１８０】
次に、ＣＰＵ３９は、画像処理部３１を制御し、ＣＣＤ２０が光電変換した画像信号を所定のタイミングでサンプリングする。すなわち、レリーズ動作を行わせる。レリーズ動作が終了すると、ＣＰＵ３９は、ＬＥＤ駆動回路５５を制御し、ＬＥＤ５６を点滅させる。その後、画像処理部３１によってサンプリングされた画像データは、ＤＳＰ３３による圧縮処理等が行われ、メモリカード２４に書き込まれる。画像データがメモリカード２４に書き込まれると、ＣＰＵ３９は、ＬＥＤ駆動回路５５を制御し、ＬＥＤ５６を消灯させる。
【０１８１】
このように、音声が入力されてからレリーズ動作が終了するまでの間、ＬＥＤ５６を点灯させ、画像処理等が実行されている間、ＬＥＤを点滅させることにより、ユーザは、電子カメラ１がレリーズ動作および画像処理を実行中であり、いま撮影を行うことができないということを視覚によって確認することができる。
【０１８２】
次に、図２３のフローチャートを参照して、撮影動作と同期して音声が記録される、いわゆる同期録音モードでの動作について説明する。最初に、ステップＳ３１において、ＣＰＵ３９により、レリーズスイッチ１０が押されたか否かが判定される。レリーズスイッチ１０が押されていないと判定された場合、ステップＳ３１に戻り、ステップＳ３１以降の処理が繰り返し実行される。一方、レリーズスイッチ１０が押されたと判定された場合、ステップＳ３２に進む。
【０１８３】
ステップＳ３２においては、所定の被写体の画像の撮像および記録が行われる。即ち、ＣＰＵ３９により、画像処理部３１が制御され、ＣＣＤ２０によって光電変換された画像信号が所定のタイミングでサンプリングされる。そして、サンプリングされた画像データは、ＤＳＰ３３により圧縮処理等が行われ、メモリカード２４に書き込まれる。
【０１８４】
次に、ステップＳ３３に進み、音声の記録が行われる。それと同時に、ＣＰＵ３９により、計時動作が開始される。即ち、マイクロホン８より入力された音声信号は、Ａ／ＤおよびＤ／Ａ変換回路４２においてデジタルの音声データに変換された後、ＣＰＵ３９に供給される。ＣＰＵ３９は、Ａ／ＤおよびＤ／Ａ変換回路４２より供給されたデジタル化された音声データを圧縮した後、デジタル化および圧縮された音声データを一旦、バッファメモリ３６に供給する。そして、バッファメモリ３６に記憶された音声データを所定のタイミングでメモリカード２４の所定の領域（音声記録領域）に供給し、記憶させる。
【０１８５】
ステップＳ３４においては、ＣＰＵ３９により、音声の記録が開始されてから、所定の時間だけ経過したか否かが判定される。この時間は、ユーザがＬＣＤ６に表示させた例えば設定画面等において、任意の値に設定することができる。
【０１８６】
ステップＳ３４において、音声の記録が開始されてから、まだ所定の時間だけ経過していないと判定された場合、ステップＳ３３に戻り、ステップＳ３３以降の処理が繰り返し実行され、音声の記録が引き続き実行される。一方、ステップＳ３４において、音声の記録が開始されてから、所定の時間だけ経過したと判定された場合、ステップＳ３５に進み、ＣＰＵ３９の制御により、音声の記録が終了する。その後、ステップＳ３１に戻り、ステップＳ３１以降の処理が繰り返し実行される。
【０１８７】
以上のようにして、所定の被写体の画像の撮像を行うと、それに同期して、音声の記録が開始され、所定の時間、例えば１０秒間だけ音声が記録されるようにすることができる。
【０１８８】
また、上記実施の形態において、図１７乃至図１９および図２３に示した各処理をＣＰＵ３９に行わせるプログラムは、電子カメラ１のＲＯＭ４３やメモリカード２４等に記憶させるようにすることができる。また、このプログラムは、予め上記ＲＯＭ４３やメモリカード２４に記憶された状態で使用者に供給されるようにしてもよいし、ＲＯＭ４３やメモリカード２４にコピー可能なように、ＣＤ−ＲＯＭ（compact disc-read only memory）等に記憶された状態で使用者に供給されるようにしてもよい。その場合、ＲＯＭ４３は、例えば、電気的に書き換え可能なＥＥＰＲＯＭ（electrically erasable and programmable read only memory）等で構成するようにする。
【０１８９】
なお、上記実施の形態においては、ファインダ２を光学的なものとしたが、液晶を用いた液晶ファインダを用いるようにすることも可能である。
【０１９０】
また、上記実施の形態においては、撮影レンズ、ファインダ、発光部をこの順で、電子カメラの正面から見て、左から順に並べるようにしたが、右から順に並べるようにすることも可能である。
【０１９１】
また、上記実施の形態においては、マイクロホンを１つだけ設けるようにしたが、マイクロホンを左右に２つ設けるようにし、音声をステレオで記録するようにすることも可能である。
【０１９２】
また、上記実施の形態においては、ペン型指示装置を用いて各種情報を入力するようにしたが、指を用いて入力するようにすることも可能である。
【０１９３】
また、ＬＣＤ６に表示された表示画面は一例であって、これに限定されるものではなく、様々なレイアウトの画面を用いるようにすることが可能である。同様に、操作キーの種類やレイアウトも一例であって、これに限定されるものではない。
【０１９４】
また、上記実施の形態においては、ＬＥＤ５６を発光させることによって、レリーズ動作等の確認を行わせるようにしたが、ＬＣＤ等の表示装置を電子カメラ１の上部に設けるようにし、その画面に所定の文字やアイコン等を表示させ、レリーズ動作等の確認を行うことができるようにすることも可能である。
【０１９５】
さらに、上記実施の形態において、マイクロホン８を面Ｙ１，Ｙ２，Ｘ１の上端部に配置するようにすることも可能である。このように配置しても、ユーザは電子カメラ１を胸ポケットに入れたままで、所定の音声を容易に入力することができる。
【０１９６】
【発明の効果】
請求項１に記載のデジタルカメラによれば、入力された音声により所定の動作を指令する制御を実行し、入力された音声データが撮像された画像データと関連付けて記憶する際に、音声入力手段により入力された音声による所定の動作の指令を受け付けずに、音声入力手段により入力された音声データを記憶手段に記憶する制御を実行するようにしたので、入力された音声により所定の動作を指令するために利用することもできるし、画像データと関連付けて記憶することもできる。
【図面の簡単な説明】
【図１】本発明を適用した電子カメラの一実施の形態を正面の側から見た斜視図である。
【図２】電子カメラ１をＬＣＤカバー１４を開けた状態で背面の側から見た斜視図である。
【図３】電子カメラ１をＬＣＤカバー１４を閉じた状態で背面の側から見た斜視図である。
【図４】電子カメラ１の内部の構成例を示す図である。
【図５】電子カメラ１のＬＣＤスイッチ２５とＬＣＤカバー１４の動作を説明する図である。
【図６】電子カメラ１の内部の電気的構成例を示すブロック図である。
【図７】間引き処理を説明するための図である。
【図８】間引き処理の他の例を示す図である。
【図９】電子カメラ１のＬＣＤ６に表示される表示画面例を示す図である。
【図１０】電子カメラ１をワイシャツのポケットに入れた状態を示す図である。
【図１１】電子カメラ１の最大辺、中間辺、最小辺、および撮影レンズ３と下端部までの長さを示す図である。
【図１２】ワイシャツのポケットの縦横の長さを示す図である。
【図１３】電子カメラ１のファインダ２を右目で覗いた状態と、左目で覗いた状態を示す図である。
【図１４】撮影レンズ３が前方に突出する電子カメラ１の他の実施の形態を示す図である。
【図１５】撮影レンズ３が前方に突出する電子カメラ１のさらに他の実施の形態を示す図である。
【図１６】断面に曲線が含まれる場合の外周の定義を説明するための図である。
【図１７】音声によってレリーズ動作を制御する場合の動作手順を説明するフローチャートである。
【図１８】音声によってレリーズ動作を制御する場合の他の動作手順を説明するフローチャートである。
【図１９】音声によってレリーズ動作を制御する場合のさらに他の動作手順を説明するフローチャートである。
【図２０】ＬＥＤ５６の点灯動作の例を説明するタイミングチャートである。
【図２１】ＬＥＤ５６の点灯動作の他の例を説明するタイミングチャートである。
【図２２】ＬＥＤ５６の点灯動作のさらに他の例を説明するタイミングチャートである。
【図２３】同期録音モードにおける動作手順を説明するフローチャートである。
【符号の説明】
１  電子カメラ
２  ファインダ
３  撮影レンズ
４  発光部（ストロボ）
５  スピーカ
６  ＬＣＤ
６Ａ  タッチタブレット
７  操作キー
７Ａ  メニューキー
７Ｂ  実行キー
７Ｃ  キャンセルキー
７Ｄ  デリートキー
７Ｅ  スクロールキー
８  マイクロホン（音声入力手段）
９  イヤホンジャック
１０  レリーズスイッチ
１１  電源スイッチ
１２  録音スイッチ
１３  連写モード切り換えスイッチ
１５  赤目軽減ＬＥＤ
１６  測光素子
１７  測色素子
２０  ＣＣＤ（受光手段）
２１  バッテリ
２２  コンデンサ
２３  回路基板
２４  メモリカード
２６  ファインダ内表示素子
３０  レンズ駆動回路
３１  画像処理部（撮像手段）
３２  アナログ／デジタル変換回路（Ａ／Ｄ）
３３  デジタルシグナルプロセッサ（ＤＳＰ）
３４  ＣＣＤ駆動回路
３５  フレームメモリ
３６  バッファメモリ
３７  ストロボ駆動回路
３８  赤目軽減ＬＥＤ駆動回路
３９  ＣＰＵ（制御手段）
４０  ファインダ内表示回路
４１  ペン
４２  Ａ／ＤおよびＤ／Ａ変換回路
４３  ＲＯＭ
４５  タイマ
４８  インタフェース
５１  測光回路
５２  測色回路
５３  絞り駆動回路
５４  絞り
５５  ＬＥＤ駆動回路
５６  ＬＥＤ（発光手段）
１００  筐体（収納手段）
１１０  レリーズスイッチ
１１１  電源スイッチ
１１２  録音スイッチ
１１３  連写モード切り換えスイッチ
【図１】
0004492890.tif 000002
【図２】
0004492890.tif 000003
【図３】
0004492890.tif 000004
【図４】
0004492890.tif 000005
【図５】
0004492890.tif 000006
【図６】
0004492890.tif 000007
【図７】
0004492890.tif 000008
【図８】
0004492890.tif 000009
【図９】
0004492890.tif 000010
【図１０】
0004492890.tif 000011
【図１１】
0004492890.tif 000012
【図１２】
0004492890.tif 000013
【図１３】
0004492890.tif 000014
【図１４】
0004492890.tif 000015
【図１５】
0004492890.tif 000016
【図１６】
0004492890.tif 000017
【図１７】
0004492890.tif 000018
【図１８】
0004492890.tif 000019
【図１９】
0004492890.tif 000020
【図２０】
0004492890.tif 000021
【図２１】
0004492890.tif 000022
【図２２】
0004492890.tif 000023
【図２３】
0004492890.tif 000024